【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
ＴＤＤモードで動作し、かつ複数の無線受信機ステーションを含む、第１の無線ネットワークであって、前記複数の無線受信機ステーションは同じセルＩＤを共有し、同じ周波数帯域内の複数のユーザ装置（ＵＥ）への同時不干渉プリコードデータストリームを生成する、第１の無線ネットワークと、
ＦＤＤモードで動作し、かつ１つ又は複数のアンテナを含む、第２の無線ネットワークと、
を備えるシステムであって、
前記第１の無線ネットワークが、前記複数のアンテナのうちの少なくとも１つの位置で、１つ又は複数のゼロ無線周波数（ＲＦ）エネルギー点を生成する、
システム。
【請求項２】
前記ゼロＲＦエネルギー点が、前記第１の無線ネットワークから前記第２の無線ネットワークへのバンド外放射（ＯＯＢＥ）又はブロッキングを緩和するために生成される、請求項１に記載のシステム。
【請求項３】
前記第１の無線ネットワークが、前記ゼロＲＦエネルギー点を生成するためにプリコーディングを使用するマルチユーザ多重アンテナシステム（ＭＵ−ＭＡＳ）である、請求項１に記載のシステム。
【請求項４】
プリコーディングが、前記第１の無線ネットワークの前記複数の無線受信機ステーションと、前記第２の無線ネットワークの１つ又は前記複数のアンテナとの間のチャネル状態情報（ＣＳＩ）に基づいて計算される、請求項３に記載のシステム。
【請求項５】
前記ＣＳＩが、前記無線受信機ステーションと１つ又は前記複数のアンテナとの間の複数の無線リンク上で送信されるバンド内又はバンド外トレーニング信号を使用して推定される、請求項４に記載のシステム。
【請求項６】
ＴＤＤモードで動作し、かつ複数の無線受信機ステーションを含む、第１の無線ネットワークであって、前記複数の無線受信機ステーションは同じセルＩＤを共有し、同じ周波数帯域内の複数のユーザ装置（ＵＥ）への同時不干渉プリコードデータストリームを生成する、第１の無線ネットワークと、
ＦＤＤモードで動作し、かつ１つ又は複数のアンテナを含む、第２の無線ネットワークと、
を備えるシステムであって、
前記第１の無線ネットワークが、前記複数のアンテナのうちの少なくとも１つの位置で、１つ又は複数のゼロ無線周波数（ＲＦ）エネルギー点を生成し、
前記第２の無線ネットワークが、前記第１の無線ネットワークのＴＤＤ動作の知識を何も有していない、
システム。
【請求項７】
ＴＤＤモードで動作し、かつ複数の無線受信機ステーションを含む、第１の無線ネットワークであって、前記複数の無線受信機ステーションは同じセルＩＤを共有し、同じ周波数帯域内の複数のユーザ装置（ＵＥ）への同時不干渉プリコードデータストリームを生成する、第１の無線ネットワークと、
ＦＤＤモードで動作し、かつ１つ又は複数のアンテナを含む、第２の無線ネットワークと、
を備えるシステムであって、
前記第１の無線ネットワークが、前記複数のアンテナのうちの少なくとも１つの位置で、１つ又は複数のゼロ無線周波数（ＲＦ）エネルギー点を生成し、前記第２の無線ネットワークが、前記第１の無線ネットワークのＴＤＤ動作の知識を有している、
システム。
【請求項８】
ＴＤＤモードで動作し、かつ複数の無線受信機ステーションを含む、第１の無線ネットワークであって、前記複数の無線受信機ステーションは同じセルＩＤを共有し、同じ周波数帯域内の複数のユーザ装置（ＵＥ）への同時不干渉プリコードデータストリームを生成する、第１の無線ネットワークと、
ＦＤＤモードで動作し、かつ１つ又は複数のアンテナを含む、第２の無線ネットワークと、
前記第１の無線ネットワークが、前記複数のアンテナのうちの少なくとも１つの位置で、１つ又は複数のゼロ無線周波数（ＲＦ）エネルギー点を生成し、
前記第１の無線ネットワークが、地上無線サービスを提供し、前記第２の無線ネットワークが、航空機に無線サービスを提供する。
【請求項９】
ＴＤＤモードで動作し、かつ複数の無線受信機ステーションを含む、第１の無線ネットワークであって、前記複数の無線受信機ステーションは同じセルＩＤを共有し、同じ周波数帯域内の複数のユーザ装置（ＵＥ）への同時不干渉プリコードデータストリームを生成する、第１の無線ネットワークと、
ＦＤＤモードで動作し、かつ１つ又は複数のアンテナを含む、第２の無線ネットワークと、を含む、ネットワーク上で通信するための方法であって、
前記第１の無線ネットワークが、前記複数のアンテナのうちの少なくとも１つの位置で、１つ又は複数のゼロ無線周波数（ＲＦ）エネルギー点を生成する、方法。
【請求項１０】
前記ゼロＲＦエネルギー点が、前記第１の無線ネットワークから前記第２の無線ネットワークへのバンド外放射（ＯＯＢＥ）又はブロッキングを緩和するために生成される、請求項９に記載の方法。
【請求項１１】
前記第１の無線ネットワークが、前記ゼロＲＦエネルギー点を生成するためにプリコーディングを使用するマルチユーザ多重アンテナシステム（ＭＵ−ＭＡＳ）である、請求項９に記載の方法。
【請求項１２】
プリコーディングが、前記第１の無線ネットワークの前記複数の無線受信機ステーションと、前記第２の無線ネットワークの１つ又は前記複数のアンテナとの間のチャネル状態情報（ＣＳＩ）に基づいて計算される、請求項１１に記載の方法。
【請求項１３】
前記ＣＳＩが、前記無線受信機ステーションと１つ又は前記複数のアンテナとの間の複数の無線リンク上で送信されるバンド内又はバンド外トレーニング信号を使用して推定される、請求項１２に記載の方法。
【請求項１４】
ＴＤＤモードで動作し、かつ複数の無線受信機ステーションを含む、第１の無線ネットワークであって、前記複数の無線受信機ステーションは同じセルＩＤを共有し、同じ周波数帯域内の複数のユーザ装置（ＵＥ）への同時不干渉プリコードデータストリームを生成する、第１の無線ネットワークと、
ＦＤＤモードで動作し、かつ１つ又は複数のアンテナを含む、第２の無線ネットワークと、を含む、ネットワーク上で通信するための方法であって、
前記第１の無線ネットワークが、前記複数のアンテナのうちの少なくとも１つの位置で、１つ又は複数のゼロ無線周波数（ＲＦ）エネルギー点を生成し、
前記第２の無線ネットワークが、前記第１の無線ネットワークのＴＤＤ動作の知識を何も有していない、方法。
【請求項１５】
ＴＤＤモードで動作し、かつ複数の無線受信機ステーションを含む、第１の無線ネットワークであって、前記複数の無線受信機ステーションは同じセルＩＤを共有し、同じ周波数帯域内の複数のユーザ装置（ＵＥ）への同時不干渉プリコードデータストリームを生成する、第１の無線ネットワークと、
ＦＤＤモードで動作し、かつ１つ又は複数のアンテナを含む、第２の無線ネットワークと、を含む、ネットワーク上で通信するための方法であって、
前記第１の無線ネットワークが、前記複数のアンテナのうちの少なくとも１つの位置で、１つ又は複数のゼロ無線周波数（ＲＦ）エネルギー点を生成し、前記第２の無線ネットワークが、前記第１の無線ネットワークのＴＤＤの動作の知識を有している、方法。
【請求項１６】
ＴＤＤモードで動作し、かつ複数の無線受信機ステーションを含む、第１の無線ネットワークであって、前記複数の無線受信機ステーションは同じセルＩＤを共有し、同じ周波数帯域内の複数のユーザ装置（ＵＥ）への同時不干渉プリコードデータストリームを生成する、第１の無線ネットワークと、
ＦＤＤモードで動作し、かつ１つ又は複数のアンテナを含む、第２の無線ネットワークと、を含む、ネットワーク上で通信するための方法であって、
前記第１の無線ネットワークが、前記複数のアンテナのうちの少なくとも１つの位置で、１つ又は複数のゼロ無線周波数（ＲＦ）エネルギー点を生成し、
前記第１の無線ネットワークが、地上無線サービスを提供し、前記第２の無線ネットワークが、航空機に無線サービスを提供する、方法。